(57)【要約】【課題】  スライド部材が選択可能ないずれかの位置までスライドされた後に、このスライド部材が、選択した位置に停止した状態で維持されるようにすることができるスイッチ機構を備える電子機器、及びそのスイッチ機構の切換え状態の維持方法を提供する。【解決手段】  複数のリブを備えるガイド部材５８と、ガイド部材の長さ方向にスライド自在に取付けられたスライド部材３８とを有するスイッチ機構３１を備えた電子機器３０であって、スライド部材は、ノブ部４２、ノブ部と対向するベース部４４、ベース部とノブ部を連結する連結部４６とを備え、リブ間に連結部を配置してスライド可能とし、リブにはベース部側に突出した第１突起部６２と、ベース部にはリブ側に突出した少なくとも１つの第２突起部を備え、第２突起部が第１突起部を乗り越すことによりスライド部材の位置決めをするようにした。【選択図】      図７
2006184572.tif 000002
【特許請求の範囲】
【請求項１】
複数のリブを備えるガイド部材と、前記ガイド部材の長さ方向にスライド自在に取付けられたスライド部材と
を有するスイッチ機構を備えた電子機器であって、
前記スライド部材は、ノブ部、前記ノブ部と対向するベース部、前記ベース部とノブ部を連結する連結部とを備え、
前記リブ間に前記連結部を配置してスライド可能とし、
前記リブには前記ベース部側に突出した第１突起部と、
前記ベース部には前記リブ側に突出した少なくとも１つの第２突起部を備え、
前記第２突起部が前記第１突起部を乗り越すことにより前記スライド部材の位置決めをすることを特徴とする電子機器。
【請求項２】
前記ガイド部材から伸びる前記スライド部の滑落抑制手段を配置することを特徴とする請求項１に記載の電子機器。
【請求項３】
複数の筐体を回動可能に連結するヒンジ部を備え、
前記ガイド部材が前記ヒンジ部のカバーの一部を形成する基礎部材に設けられていることを特徴とする請求項１に記載の電子機器。
【請求項４】
前記ヒンジ部の近傍に撮影モードの切換レバーを有する撮像部を備え、
前記スイッチ機構は、前記スライド部材に前記切換レバーと係合する係合部が設けられて、このスライド部材のスライド動作により前記撮像部の撮影モードを切換えることを特徴とする請求項３に記載の電子機器。
【請求項５】
複数のリブを備えるガイド部材と、前記ガイド部材の長さ方向にスライド自在に取付けられたスライド部材と
を有するスイッチ機構を備えた電子機器におけるスイッチ機構の切換え方法であって、
前記スライド部材は、ノブ部、前記ノブ部と対向するベース部、前記ベース部とノブ部を連結する連結部とを備え、
前記リブ間に前記連結部を配置してスライド可能とし、
前記リブには前記ベース部側に突出した第１突起部と、
前記ベース部には前記リブ側に突出した少なくとも１つの第２突起部を備え、
前記第２突起部が前記第１突起部を乗り越すことにより前記スライド部材の位置決めをすることを特徴とするスイッチ機構の切換え方法。
【発明の詳細な説明】
【技術分野】
【０００１】
本発明は、スライド部材がスライドしてスイッチ動作を行なうスイッチ機構を備える電子機器、及びそのスイッチ機構の切換え方法に関するものである。
【背景技術】
【０００２】
図１１は、従来の撮像装置２の内部構造を示す図である（例えば、特許文献１参照）。同図に示すように、この撮像装置２は、その筐体４の内部に、通常撮影モードとマクロ撮影モードとを簡単に切換えることができるスイッチ機構６を備えていた。
【０００３】
この撮像装置２は、その撮像レンズ８を支持するレンズ固定筒１０を備えており、通常撮影モードとマクロ撮影モードとを切換えるためのレバー１２が、このレンズ固定筒１０の外側に突出するように設けられていた。このレバー１２は、その先端がレンズ固定筒１０の近傍に配置されるスライド部材１４の切欠き１４ａに係合するようになっていた。
【０００４】
スライド部材１４には、２つの長孔１４ｂが穿設され、この長孔１４ｂのそれぞれに、筐体４側に固定されたガイドピン１６が貫通していることにより、スライド部材１４はその長孔１４ｂの長さ方向に沿ってスライドするようになっていた。そして、ガイドピン１６の頭部の直径は、長孔１４ｂの幅よりも大きいため、長孔１４ｂがガイドピン１６から外れてスライド部材１４が筐体４の内部で脱落しないようになっていた。
【０００５】
また、スライド部材１４には、長孔の長さ方向と直角の方向（図１１中、横方向）に伸びる片持ち梁状のバネ部１４ｃが設けられていた。このバネ部１４ｃの先端部１４ｄは、スライド部材１４が長孔１４ｂの長さ方向にスライドしたときに（図１１中、矢印Ａ）、図１２に示すように、レンズ固定筒１０に引っ掛かるようになっているため、バネ部１４ｃはその長さ方向と直角の方向に撓むようになっていた。
【０００６】
また、図１１に示すように、スライド部材１４には、その平面方向と直角の方向（図１１中、紙面と直角の方向）に突出する操作ノブ１４ｅが設けられていた。図示しないが、この操作ノブ１４ｅは、その突出方向の先端部が筐体４の外側に突出しており、この部分に手の指を当接させてスライド部材を矢印Ａの方向に動かすことができるようになっていた。
【０００７】
撮像装置２は、このようなスイッチ機構６が設けられていることより、スライド部材１４を手動で長孔１４ｂの長さ方向に沿って下方に移動させると（図１１中、矢印Ａ）、図１２に示すように、レバー１２の先端が一緒に下方に移動して回動するため、通常撮影モードからマクロ撮影モードに切換わるようになっていた。
【０００８】
また、スライド部材１４が下方に移動した状態では、バネ部１４ｃが撓んで復元力が発生するため、スライド部材１４の操作ノブ１４ｅから手の指を離すと、このスライド部材１４が上方に移動すると共に（図１２中、矢印Ｂ）、レバー１２の先端が一緒に上方に移動して回動するため、マクロ撮影モードから通常撮影モードに戻るようになっていた。
【０００９】
したがって、この撮像装置２の撮影モードを、通常撮影モードからマクロ撮影モードに切換えるには、スライド部材１４の操作ノブ１４ｅに手の指を当ててこのスライド部材１４を下方に移動させ、また、マクロ撮影モードから通常撮影モードに切換えるには、手の指をスライド部材１４の操作ノブ１４ｅから離すだけで済むため、撮影モードの切換えを簡単な操作で行なうことができた。
【特許文献１】実開平０６−０４３６１１号公報
【発明の開示】
【発明が解決しようとする課題】
【００１０】
しかしながら、このような撮像装置２のスイッチ機構６では、通常撮影モードとマクロ撮影モードの２つのモードがあるにもかかわらず、スライド部材１４を操作しないときには、常に通常撮影モードに維持されていて、手の指を操作ノブ１４ｅから離した状態ではマクロ撮影モードに維持しておくことができないという問題があった。すなわち、スイッチ動作の一方の状態のみが維持されて、他方の状態を維持することができないという問題があった。
【００１１】
また、前記特許文献１の撮像装置２のスイッチ機構６と同様のスイッチ機構が用いられている他の電子機器においても、前記特許文献１の撮像装置２と同様の問題があった。
【００１２】
そこで本発明は、上記問題点に鑑みて、スライド部材が選択可能ないずれかの位置までスライドされた後に、このスライド部材が、選択した位置に停止した状態で維持されるようにすることができるスイッチ機構を備える電子機器、及びそのスイッチ機構の切換え方法を提供することを課題とするものである。
【課題を解決するための手段】
【００１３】
上記課題を解決するために本発明は、
複数のリブを備えるガイド部材と、前記ガイド部材の長さ方向にスライド自在に取付けられたスライド部材と
を有するスイッチ機構を備えた電子機器であって、
前記スライド部材は、ノブ部、前記ノブ部と対向するベース部、前記ベース部とノブ部を連結する連結部とを備え、
前記リブ間に前記連結部を配置してスライド可能とし、
前記リブには前記ベース部側に突出した第１突起部と、
前記ベース部には前記リブ側に突出した少なくとも１つの第２突起部を備え、
前記第２突起部が前記第１突起部を乗り越すことにより前記スライド部材の位置決めをすることを特徴とするものである。
【００１４】
また、本発明による電子機器は、
前記ガイド部材から伸びる前記スライド部の滑落抑制手段を配置するようになっていてもよい。
【００１５】
また、本発明による電子機器は、
複数の筐体を回動可能に連結するヒンジ部を備え、
前記ガイド部材が前記ヒンジ部のカバーの一部を形成する基礎部材に設けられているようになっていてもよい。
【００１６】
また、本発明による電子機器は、
前記ヒンジ部の近傍に撮影モードの切換レバーを有する撮像部を備え、
前記スイッチ機構は、前記スライド部材に前記切換レバーと係合する係合部が設けられて、このスライド部材のスライド動作により前記撮像部の撮影モードを切換えるようになっていてもよい。
【００１７】
また、上記課題を解決するために本発明は、
複数のリブを備えるガイド部材と、前記ガイド部材の長さ方向にスライド自在に取付けられたスライド部材と
を有するスイッチ機構を備えた電子機器におけるスイッチ機構の切換え方法であって、
前記スライド部材は、ノブ部、前記ノブ部と対向するベース部、前記ベース部とノブ部を連結する連結部とを備え、
前記リブ間に前記連結部を配置してスライド可能とし、
前記リブには前記ベース部側に突出した第１突起部と、
前記ベース部には前記リブ側に突出した少なくとも１つの第２突起部を備え、
前記第２突起部が前記第１突起部を乗り越すことにより前記スライド部材の位置決めをすることを特徴とするものである。
【発明の効果】
【００１８】
このような本発明による電子機器、及びそのスイッチ機構の切換え方法によれば、そのスイッチ機構のスライド部材が選択可能ないずれかの位置までスライドされた後に、このスライド部材が、選択した位置に停止した状態で維持されるようにすることができる。
【発明を実施するための最良の形態】
【００１９】
以下、本発明に係る電子機器、及びそのスイッチ機構の切換え方法の実施の形態について、図面に基づいて具体的に説明する。
図１ないし図１０は、本発明の一実施の形態に係る撮像機能付き携帯電話機３０（電子機器に相当）、及びそのスイッチ機構３１の切換え方法について説明するために参照する図である。
【００２０】
図１は、本実施の形態に係る撮像機能付き携帯電話機３０の下側筐体３２の上ケース３４、基礎部材３６、及びスライド部材３８のそれぞれが組立てられる前の裏返しにした状態を示す図である。ここで、同図において、下側筐体３２の上ケース３４は、その長さ方向の一方の端部だけが、内部構造が見えるような向きで示されている。
【００２１】
下側筐体３２の上ケース３４には、その長さ方向の一方の端部に軸支部４０が形成されており、この軸支部４０に嵌合するピン（図示せず）を介して、図示しない上側筐体が回動自在に連結されるようになっている。すなわち、軸支部４０は、図示しない上側筐体と連結するヒンジ構造の一部を構成するようになっている。
【００２２】
基礎部材３６は、その所定の位置にスライド部材３８が載置されて組み付けられた後に、図２に示すように、下側筐体３２の上ケース３４に取付けられる。基礎部材３６の一部は、ヒンジ構造の一部を構成する軸支部４０の一部を構成するようになっている。
【００２３】
また、図示しないが、上ケース３４には、この上ケース３４と基礎部材３６に突合わされるように、下側筐体３２の下ケースが、図２中の上方から取付けられる。
【００２４】
図２に示す撮像機能付き携帯電話機３０のスイッチ機構３１は、基礎部材３６及びスライド部材３８により構成される。
【００２５】
次に、スライド部材３８は合成樹脂製であって、可撓性を有している。このスライド部材３８は、図３及び図４に示すように、互いに略平行に配置される２つの板部４２，４４（ノブ部、ベース部に相当）を有している。この２枚の板部４２，４４は、互いの長さ方向における中間の位置において、ウェブ４６（連結部に相当）を介して繋がって一体的に形成されている。
【００２６】
図４に示すように、板部４４の高さ方向の寸法Ｈ１は、板部４２の高さ方向の寸法Ｈ２よりも小さくなっており、この板部４４は、その長さ方向に平行な一方の辺４４ａが、板部４２におけるその長さ方向に平行な辺４２ａよりも低くなっている。ウェブ４６は、その高さ方向の寸法Ｈ３が、板部４４の高さ方向の寸法Ｈ１よりも小さくなっており、辺４４ａ寄りの位置に形成されている。
【００２７】
また、図３に示すように、板部４４には、ウェブ４６と反対側に、この板部４４と一体的に形成される係合部５０が設けられている。この係合部５０は、板部４４の厚さ方向に突出する２枚の板部５０ａ，５０ｂで構成されている。この２枚の板部５０ａ，５０ｂは、板部４４の長さ方向に一定の間隔を有して、互いに平行になるように形成されている。
【００２８】
また、板部４４におけるその長さ方向の一方の端部４４ｂ（可撓カム部に相当）は、その板部４２側の面が弓形の形状を略半分にしたような形状に形成されている。すなわち、端部４４ｂは、この板部４４の長さ方向にウェブ４６から遠ざかるにつれて板部４２から離れていくように湾曲して形成されている。
【００２９】
また、板部４４は、この端部４４ｂと互いに隣り合う一定長さの範囲において、板部４２側と反対向きにくぼんで弓形に形成されている凹部４４ｃ（可撓カム部に相当）を有している。
【００３０】
また、板部４４は、ウェブ４６と繋がっている位置から端部４４ｂと反対側の端部４４ｄまでの長さが、後述するガイド板５８における突起部６４の位置に対応するようになっている。そして、端部４４には、板部４４の長さ方向に一定幅を有すると共に、この板部４４の高さを長さとして有して、板部４２側に突出するプッシャー４４ｅが形成されている。
【００３１】
また、板部４２には、そのウェブ４６と反対側の面上に、操作時に手の指でつまむための操作ノブ４８が形成されている。
【００３２】
次に、図１に示すように、基礎部材３６は、ガイド板５８（ガイド部材に相当）を有している。このガイド板５８は、その長さ方向の略中央の位置に、一定長さを有し、高さ方向に深さを有する切欠き部６０（ガイド溝に相当）が形成されている（ガイド板５８におけるその長さ方向の切欠き部６０の両側の部分のそれぞれがリブに相当）。そして、このガイド板５８の厚さは、図３に示すスライド部材３８における板部４２と板部４４との間の隙間の寸法Ｓ１よりも薄く、板部４２とプッシャー４４ｅとの間の隙間の寸法Ｓ２よりも厚く形成されている。また、図１に示すガイド板５８は、その切欠き部６０の周囲の部分が他の部分よりも厚く形成されている。
【００３３】
ガイド板５８の裏面側には、切欠き部６０におけるその長さ方向の一方の端部６０ａの近傍の位置に、図５及び図６に示すように、ガイド板５８の長さ方向と直角の方向に突出する凸部６２（第１突起部に相当）が形成されている。この凸部６２の水平断面は、円弧状になっているが、それ以外の三角形状や台形状等であってもよい。
【００３４】
また、ガイド板５８には、その切欠き部６０の長さ方向における、一方の端部６０ａとは反対側の他方の端部６０ｂの近傍の位置に、このガイド板５８の厚さ方向に突出する突起部６４（滑落抑制手段に相当）が形成されている。
【００３５】
次に、上ケース３４、基礎部材３６、及びスライド部材３８等を組立てる時の手順について説明する。
【００３６】
図１に示すように、撮像機能付き携帯電話機３０の組立作業時において、スライド部材３８は、基礎部材３６のガイド板５８上に、その上方から下降されて載置される。
【００３７】
このときスライド部材３８は、図５に示すように、スライド部材３８における板部４２と板部４４との間の隙間に、ガイド板５８を入り込ませるようになっており、また、ウェブ４６が、ガイド板５８の切欠き部６０の端部６０ａ寄りの位置に載置されるようになっている。
【００３８】
ガイド板５８の凸部６２は、図６に示すように、スライド部材３８の凹部４４ｃの内側の空間に納まるようになっている。また、スライド部材３８をこのガイド板５８にその上方から取付ける際に、スライド部材３８の板部４４の端部４４ｄがガイド板５８の突起部６４とぶつからないような水平位置においてスライド部材３８を下降させるため、スライド部材３８をガイド板５８の上方からスムーズに嵌合させることができる。
【００３９】
スライド部材３８のウェブ４６をガイド板５８の切欠き部６０上に載置した後には、図７に示すように、スライド部材３８を、切欠き部６０の端部６０ｂ寄りの位置に移動させるようにする。
【００４０】
このようなスライド部材３８の移動の途中においては、凸部６２の頂点が、図３に示すスライド部材３８における端部４４ｂと凹部４４ｃの境界部（第２突起部に相当）に接触して押圧することにより、板部４４の凹部４４ｃ側の一定長さ範囲を撓ませるようになっている。板部４４の撓み量は、スライド部材３８における端部４４ｂと凹部４４ｃの境界部が凸部６２の頂点を乗り越えるときに最大となる。
【００４１】
そして、スライド部材３８は、その凹部４４ｃが形成されている一定長さの範囲を撓ませて、この凹部４４ｃと端部４４ｂとの境界部が凸部６２の頂点を乗り越えるのに必要な荷重が、スライド部材３８をスライドさせる方向に加えられなければ、図５及び図６に示すような、ガイド板５８の切欠き部６０上に載置した当初の状態に戻らないようになっている。
【００４２】
また、図７に示すように、スライド部材３８を切欠き部６０の端部６０ｂ寄りの位置に移動させた状態では、突起部６４がスライド部材３８の板部４４と、その長さ方向において互いに重なり合うようになるため、スライド部材３８が高さ方向に動いて脱落する（外れる）のを防止するようになっている。
【００４３】
そして、このようなスライド部材３８が取付けられた基礎部材３６は、図２に示すように、下側筐体３２の上ケース３４に取付けられるようになっている。
【００４４】
また、基礎部材３６には、図８に示すように、撮像部６６が取付けられる。この撮像部６６には、通常撮影モードとマクロ撮影モードとを切換える切換レバー６８が設けられている。この切換レバー６８は、スライド部材３８の係合部５０の板部５０ａ，５０ｂ間に係合するようになっている。
【００４５】
図９及び図１０に示すように、撮像部６６の切換レバー６８は、係合部５０に係合している部分がスライド部材３８と一緒にスライド動作することにより、回動して通常撮影モードとマクロ撮影モードの切換えを行なうようになっている。
【００４６】
このようなスライド動作による撮影モードの切換えの後において、スライド部材３８は、この切換え後の状態を維持するようになっている。すなわち、図９に示すように、スライド部材３８が、切欠き部６０の端部６０ｂ寄りの位置にある場合には、スライド部材３８の端部４４ｂが凸部６２に引っ掛かるため、スライド部材３８は、切欠き部６０の端部６０ａ寄りの位置に移動しないようになっている。
【００４７】
また、図１０に示すように、スライド部材３８が、切欠き部６０の端部６０ａ寄りの位置にある場合には、スライド部材３８の凹部４４ｃと凸部６２がゆるやかに嵌合しているため、スライド部材３８は、切欠き部６０の端部６０ｂ寄りの位置に移動しないようになっている。
【００４８】
また、スライド部材３８を、切欠き部６０における端部６０ａ寄りの位置と端部６０ｂ寄りの位置の間をスライドさせるときに、ガイド板５８は、その切欠き部６０の周囲が厚さ方向に厚く形成されているので、スライド部材３８の板部４２における板部４４側の面は、ガイド板５８における切欠き部６０の周囲の部分を除く他の部分と擦れ合わないようになっているため、この切欠き部６０の周囲の部分を除く他の部分に傷が付くのを防止することができるようになっていると共に、防水及び防塵の役割を果たすようになっている。
【００４９】
また、スライド部材３８は、そのウェブ４６から端部４４ｄ側の長さ範囲が若干撓んで、プッシャー４４ｅがガイド板５８を押圧することにより、このスライド部材３８とガイド板５８との密着性を向上させ、がたつきが生じるのを防ぐと共に、防水及び防塵の効果を向上させている。
【００５０】
また、図示しないが、下側筐体３２の上ケース３４には（図１参照）、撮像部６６以外の他の様々な部品が取付けられた後に、図示しない下ケースが取付けられるようになっている。
【００５１】
このような本実施の形態に係る撮像機能付き電話機３０、及びそのスイッチ機構３１の切換え方法によれば、このスイッチ機構３１のスライド部材３８が選択可能ないずれかの位置までスライドされた後に、このスライド部材３８が、選択した位置に停止した状態で維持されるようにすることができる。
【００５２】
また、撮像機能付き電話機３０の組立作業時に、スライド部材３８をガイド板５８の切欠き部６０に載置しただけの状態では、例えば、流れ作業等の搬送中に上下方向の振動等が加わったときに、スライド部材３８が脱落するおそれがあるが、図７に示すように、スライド部材３８を、切欠き部６０の端部６０ｂ寄りの位置に移動させることにより、突起部６４の内側に重なることによってスライド部材３８の脱落を防止することができる。
【００５３】
すなわち、前記特許文献１のような撮像装置のスイッチ機構６では（図１１参照）、この撮像装置２の組立て作業時において、スライド部材１４を撮像装置２の所定の位置に配置しただけでは、このスライド部材１４が撮像装置２から脱落してしまうので、ガイドピン１６の取付けまでの作業を一括して行なわなければならなかった。
【００５４】
このため、例えば、この撮像装置２の組立てを流れ作業等により行なう場合には、このスイッチ機構６の部分の組立て全部を一ヶ所で行なう必要があるため、次の工程に搬送されるまでの時間が他の工程よりも長くなり、ボトルネックとなって組立て作業全体の効率に影響してしまうという問題があった。
【００５５】
これに対し、本実施の形態に係る撮像機能付き電話機３０、及びそのスイッチ機構３１の切換え方法によれば、スイッチ機構３１の部分の組立て全部を一ヶ所で行なう必要がないので、組立て作業全体の効率を向上させることができる。
【００５６】
なお、本実施の形態において、スライド部材３８の板部４４は、板部４２側と反対向きにくぼんで弓形に形成されている凹部４４ｃを有しているが、この凹部４４ｃが形成される長さ部分の肉厚を調整することにより、このスライド部材３８の端部４４ｂと凹部４４ｃとの境界部が、ガイド板５８の凸部６２を乗り越すときに生じるクリック感の大きさを調節することができる。
【００５７】
また、本実施の形態では、スライド部材３８の係合部５０が、撮像部６６の切換レバー６８を回動させて、通常撮影モードとマクロ撮影モードの切換えを行なうようになっていたが、他の実施の形態として、ガイド板５８の近傍にプッシュスイッチを設け、スライド部材３８が、切欠き部６０の端部６０ａ寄りの位置と端部６０ｂ寄りの位置との間を移動するときに、このプッシュスイッチを押したり離れたりするようにして、通常撮影モードとマクロ撮影モードを切換えるようになっていてもよい。
【００５８】
また、本実施の形態では、撮像機能付き電話機３０に本発明を適用した場合について説明したが、撮像機能付き電話機３０以外の他の電子機器に対しても、本発明を適用することができることはいうまでもない。
【図面の簡単な説明】
【００５９】
【図１】本発明の一実施の形態に係る撮像機能付き携帯電話機３０における下側筐体３２を裏返しにして上ケース３４、基礎部材３６、及びスライド部材３８の組立前の状態を示す斜視図である。
【図２】本発明の一実施の形態に係る撮像機能付き携帯電話機３０における下側筐体３２の上ケース３４、基礎部材３６、及びスライド部材３８の組立後の状態を示す斜視図である。
【図３】図１に示すスライド部材３８を示す平面図である。
【図４】図１に示すスライド部材３８を示す正面図である。
【図５】図２に示す上ケース３４、基礎部材３６、及びスライド部材３８の拡大斜視図である。
【図６】図５に示す上ケース３４、基礎部材３６、及びスライド部材３８を異なる角度から見たときの拡大斜視図である。
【図７】図６に示す上ケース３４、基礎部材３６、及びスライド部材３８のスライド部材３８を移動させた後の状態を示す拡大斜視図である。
【図８】図２に示す上ケース３４に撮像部６６を取付けた状態を示す拡大斜視図である。
【図９】図８に示すスライド部材３８が切欠き部６０の端部６０ｂ寄りの位置にある状態を示す拡大平面図である。
【図１０】図８に示すスライド部材３８が切欠き部６０の端部６０ａ寄りの位置にある状態を示す拡大平面図である。
【図１１】従来の撮像装置２の内部構造を示す断面図である。
【図１２】従来の撮像装置２のスライド部材１４を下方に移動させた状態を示す断面図である。
【符号の説明】
【００６０】
２  撮像装置
４  筐体
６  スイッチ機構
８  撮像レンズ
１０  レンズ固定筒
１２  レバー
１４  スライド部材
１４ａ  切欠き
１４ｂ  長孔
１４ｃ  バネ部
１４ｄ  先端部
１６  ガイドピン
３０  撮像機能付き携帯電話機
３１  スイッチ機構
３２  下側筐体
３４  上ケース
３６  基礎部材
３８  スライド部材
４０  軸支部
４２  板部
４２ａ  辺
４４  板部
４４ａ  辺
４４ｂ  端部
４４ｃ  凹部
４４ｄ  端部
４４ｅ  プッシャー
４６  ウェブ
４８  操作ノブ
５０  係合部
５０ａ，５０ｂ  板部
５８  ガイド板
６０  切欠き部
６０ａ，６０ｂ  端部
６２  凸部
６４  突起部
６６  撮像部
６８  切換レバー
【図１】
2006184572.tif 000003
【図２】
2006184572.tif 000004
【図３】
2006184572.tif 000005
【図４】
2006184572.tif 000006
【図５】
2006184572.tif 000007
【図６】
2006184572.tif 000008
【図７】
2006184572.tif 000009
【図８】
2006184572.tif 000010
【図９】
2006184572.tif 000011
【図１０】
2006184572.tif 000012
【図１１】
2006184572.tif 000013
【図１２】
2006184572.tif 000014